(57)【要約】【課題】  迅速に記録開始位置を検出して記録を開始可能とする。【解決手段】  フレーム毎に情報量が異なる形態で符号化された動画像データが、Ｎ本のトラック毎にエラー訂正符号化処理が施されて記録されたテープより情報データ列を再生する再生手段と、前記テープに対して動画像データを記録する記録手段と、前記再生手段により再生された情報データ列より、前記動画像データにおいて所定数のフレーム毎に設定された編集点が前記Ｎ本のトラックに含まれていることを示す付加情報を検出する検出手段と、前記テープを高速に搬送しながら前記情報データ列を再生するよう前記再生手段を制御すると共に、前記高速搬送されたテープより再生された情報データ列より検出された前記付加情報に基づいて前記編集点を決定し、この編集点より新たに前記動画像データの記録を開始するよう前記記録手段を制御する制御手段とを備える。【選択図】  図５
2006179055.tif 000002
【特許請求の範囲】
【請求項１】
フレーム毎に情報量が異なる形態で符号化された動画像データが、Ｎ本のトラック毎にエラー訂正符号化処理が施された状態で記録されたテープ状記録媒体より前記動画像データを含む情報データ列を再生する再生手段と、
前記テープ状記録媒体に対して動画像データを記録する記録手段と、
前記再生手段により再生された情報データ列より、前記動画像データにおいて所定数のフレーム毎に設定された編集点が前記Ｎ本のトラックに記録されている前記動画像データ中に含まれていることを示す付加情報を検出する検出手段と、
前記テープ状記録媒体を通常再生速度よりも高速に搬送しながら前記情報データ列を再生するよう前記再生手段を制御すると共に、前記高速搬送されたテープ状記録媒体より再生された情報データ列より検出された前記付加情報に基づいて前記編集点を決定し、この編集点より新たに前記動画像データの記録を開始するよう前記記録手段を制御する制御手段とを備える記録再生装置。
【請求項２】
前記制御手段は、搬送開始位置から、通常再生方向と同じ方向に前記テープ状記録媒体を高速搬送するよう前記再生手段を制御することを特徴とする請求項１記載の記録再生装置。
【請求項３】
前記制御手段は、前記テープ状記録媒体の高速搬送開始後、テープの終端まで搬送するまでの間に前記付加情報が検出されなかった場合、再び前記搬送開始位置まで前記テープ状記録媒体を巻き戻すよう前記再生手段を制御することを特徴とする請求項２記載の記録再生装置。
【請求項４】
前記制御手段は、前記付加情報が検出されなかった場合、前記搬送開始位置を含むＮ本のトラックの次のトラックより前記動画像データの記録を開始するよう前記記録手段を制御することを特徴とする請求項３記載の記録再生装置。
【請求項５】
前記制御手段は、前記付加情報が検出されなかった場合、前記編集点より動画像データが記録されていないことを示す情報と共に前記動画像データの記録を開始するよう前記記録手段を制御することを特徴とする請求項４記載の記録再生装置。
【請求項６】
前記制御手段は更に、前記付加情報が検出されたことに応じて前記高速搬送を停止して通常再生を開始し、前記編集点を含む前記Ｎ本のトラックの動画像データを再生した後に再生を停止するよう前記再生手段を制御することを特徴とする請求項１記載の記録再生装置。
【請求項７】
前記情報データ列は、通常再生よりも速いＭ倍速再生用の画像データを含み、前記制御手段は、前記テープ状記録媒体を前記Ｍ倍速で搬送しながら前記Ｍ倍速用の画像データを再生するよう前記再生手段を制御し、前記Ｍ倍速用の画像データと共に再生される前記付加情報を検出することを特徴とする請求項１記載の記録再生装置。
【請求項８】
前記再生手段は回転ヘッドにより前記テープ状記録媒体をトレースしながら前記情報データ列を再生し、前記付加情報は前記Ｎ本のトラック中の先頭のトラックにおける所定位置に記録されており、前記制御手段は、前記先頭のトラックにおける前記所定位置を前記回転ヘッドがトレース可能となるよう前記テープ状記録媒体の搬送速度を制御することを特徴とする請求項１記載の記録再生装置。
【発明の詳細な説明】
【技術分野】
【０００１】
本発明は記録再生装置に関し、特にテープ状記録媒体に対して画像データを記録再生する装置に関する。
【背景技術】
【０００２】
従来、画像信号や音声信号をＭＰＥＧ方式で符号化し、磁気テープに記録するＶＴＲが知られている（例えば、特許文献１参照）。
【０００３】
特許文献１のＶＴＲでは、Ｎトラック分のデータを単位（以下ＥＣＣユニット）としてエラー訂正符号化処理を施して記録している。また、３フレームを編集単位とし、テープ上のＥＣＣユニット内に、この編集単位の先頭位置（以下編集ポイント）が含まれているか否かを示すヘッダ情報を、Ｎトラックの先頭に記録している。
【０００４】
そして、ユーザが所望の記録開始位置を指定した後、記録開始の指示があると、所定トラック巻き戻した後に前記ヘッダ情報に基づいて編集ポイント含むＥＣＣユニットを検出し、そのＥＣＣユニット内における編集ポイントから記録を開始している。
【特許文献１】特開２００４−１６４７３１
【発明の開示】
【発明が解決しようとする課題】
【０００５】
しかしながら、特許文献１では、ユーザが記録開始位置を指定した後、テープを所定トラック分巻き戻した後、編集ポイントを含むＥＣＣユニットを検出しており、編集ポイントを検出するまでに非常に時間がかかってしまうという問題があった。
【０００６】
本発明はこの様な問題を解決し、迅速に記録開始位置を検出して記録を開始可能とすることを目的とする。
【課題を解決するための手段】
【０００７】
本発明においては、フレーム毎に情報量が異なる形態で符号化された動画像データが、Ｎ本のトラック毎にエラー訂正符号化処理が施された状態で記録されたテープ状記録媒体より前記動画像データを含む情報データ列を再生する再生手段と、前記テープ状記録媒体に対して動画像データを記録する記録手段と、前記再生手段により再生された情報データ列より、前記動画像データにおいて所定数のフレーム毎に設定された編集点が前記Ｎ本のトラックに記録されている前記動画像データ中に含まれていることを示す付加情報を検出する検出手段と、前記テープ状記録媒体を通常再生速度よりも高速に搬送しながら前記情報データ列を再生するよう前記再生手段を制御すると共に、前記高速搬送されたテープ状記録媒体より再生された情報データ列より検出された前記付加情報に基づいて前記編集点を決定し、この編集点より新たに前記動画像データの記録を開始するよう前記記録手段を制御する制御手段とを備える。
【発明の効果】
【０００８】
本発明によれば、迅速に記録開始位置を検出して記録を開始することができる。
【発明を実施するための最良の形態】
【０００９】
図１は本発明の実施形態としてのデジタルＶＴＲの構成を示す図である。
【００１０】
図１において、１０１は動画像データを入出力する画像入出力部、１０２は音声データを入出力する音声入出力部、１０３はメモリ、１０４は動画像データ、音声データの符号化、復号処理を行う符号化処理部、１０５はサーチ用画像データの生成、復号処理を行うサーチ用画像処理部、１０６はエラー訂正符号化、復号処理を行うエラー訂正処理部、１０７は各部の動作を制御する制御部、１０８は電源スイッチや記録スイッチ、再生スイッチなどの各種のスイッチを備える操作スイッチ、１０９はテープＴを搬送するためのキャプスタンなどを有するメカニズム、１１０は回転ヘッド１１１を利用して磁気テープＴに対してデータを記録再生する記録再生部、１１１は磁気テープＴ状をトレースしてデータを記録再生する回転ヘッド、１１２は各部の間でデータを送受信するためのデータバスである。
【００１１】
本形態では、磁気テープＴは不図示のテープカセットに収められた状態で、図１のＶＴＲに対して不図示のカセット装着、排出機構により容易に装着、排出される。
【００１２】
この様なＶＴＲ１００における通常の記録処理に付いて説明する。
【００１３】
画像入出力部１０１から入力された動画像データと音声入出力部１０２から入力された音声データはメモリ１０３に格納される。符号化処理部１０４はメモリ１０３に格納された動画像データと音声データに対し、ＭＰＥＧ方式に従う符号化処理を施し、再びメモリ１０３に記憶する。また、サーチ用画像処理部１０５は、メモリ１０３に記憶されたＭＰＥＧデータのうち、Ｉフレームのデータを利用して高速再生用の画像データを生成し、メモリ１０３に記憶する。
【００１４】
本形態においても、特許文献１と同様、Ｍ倍速でテープＴを高速搬送した際のヘッド１１１のトレース軌跡に対応した位置にＭ倍速用の画像データを記録する。本形態では、このサーチ再生速度として、８倍速と２４倍速の二種類のデータを生成して記録する。
【００１５】
エラー訂正処理部１０６は、メモリ１０３に記憶されたＭＰＥＧデータとサーチ用画像データとに対し、テープＴ上に形成されるＮ本、例えば１６本のトラック分のデータを単位としてインターリーブ処理を施した後、積符号構成のエラー訂正符号化処理を施し、デインターリーブした後メモリ１０３に記憶する。この１６本のトラックの単位を、ＥＣＣユニットという。また、制御部１０７は、メモリ１０３に記憶されたＭＰＥＧストリーム中、ＥＣＣユニット内に編集ポイントが含まれるか否かを示す付加情報を、１ＥＣＣユニットの先頭トラックの先頭位置に付加する。
【００１６】
ここで、編集ポイントについて説明する。
【００１７】
本形態では、１ＧＯＰを１５フレームで構成し、また、３フレーム毎にＰフレームを挿入している。そして、テープＴに記録されるＭＰＥＧストリームにおいて、このＩフレーム、或いは、Ｐフレームの直前の位置を編集ポイントとして設定し、後述のつなぎ撮り記録の際には、この編集ポイントにおいて新たにＭＰＥＧストリームの記録を開始することで、連続したＭＰＥＧストリームを再生可能としている。
【００１８】
本形態で記録するＭＰＥＧストリームのデータレートは一定のレート、例えば２５Ｍｂｐｓとなるよう符号化しているものの、ＭＰＥＧ方式では、各フレーム間のデータ量は一定とはならない。そのため、各ＥＣＣユニットの先頭位置に、そのＥＣＣユニットが前述の編集ポイントを含むか否かを示す付加情報を付加して記録することで、つなぎ撮り記録時において、編集ポイントの有無を容易に検出可能としている。
【００１９】
図２は、本形態における磁気テープＴ上の記録パターンを示す図である。
【００２０】
図２に示すように、本形態では、ＥＣＣユニットの先頭のトラックに編集点の有無を示す付加情報を記録している。
【００２１】
図３は、１ＥＣＣユニットに記録されるデータの例を示す図である。
【００２２】
また、図３に示した様に１ＥＣＣユニット毎に付加情報が記録される。この付加情報には、このＥＣＣユニット内の編集ポイントの有無のほか、編集ポイントのＥＣＣユニット内の位置（トラックナンバー及び、後述のシンクブロックナンバー）、編集ポイントから記録されているピクチャーのＤＴＳ（Ｄｅｃｏｄｅ  Ｔｉｍｅ  Ｓｔａｍｐ）と一つのピクチャーのデータが復号のためにＶＢＶバッファ内にとどまる時間を示すＶＢＶ＿Ｄｅｌａｙ値が書き込まれている。
【００２３】
図４は、図３における各トラック内の構成を示している。
【００２４】
トラック内は、０〜１３８のシンクブロックで構成されている。各シンクブロックはＳｙｎｃ、ＩＤ０、ＩＤ１、ＩＤ２、外符号パリティまたはデータ、そして内符号パリティで構成されている。そして、ＩＤ０〜２の中には、ＥＣＣユニット内のトラック位置を示すトラックペア番号情報およびトラック内のシンクブロック位置を示すシンクブロック番号情報が含まれる。
【００２５】
この様にテープＴ上にＭＰＥＧデータが記録され、操作スイッチ１０８により記録停止の指示があると、制御部１０７はメカニズム１０９を制御してテープの搬送を停止すると共に、記録再生処理部１１０は、一つのＥＣＣユニットの記録が完了した時点で記録を停止する。
【００２６】
次に、再生時の処理を説明する。
【００２７】
再生開始の指示があると、制御部１０７はメカニズム１０９を制御してテープＴを通常再生速度で搬送すると共に、回転ヘッド１１１により磁気テープＴのトラックよりデータの再生を開始する。記録再生処理部１１０はヘッド１１１により再生された信号からデジタルデータを検出し、メモリ１０３に書き込む。エラー訂正処理部１０６は、メモリ１０３に記憶された再生データに対し、１ＥＣＣユニットを単位としてエラー訂正復号処理を施して再生データ中のエラーを訂正し、再びメモリ１０３に書き込む。符号化処理部１０４はメモリ１０３よりエラー訂正処理されたＭＰＥＧデータを読み出して復号し、動画像データと音声データとをメモリ１０３に書き込む。画像入出力部１０１と音声入出力部１０２はそれぞれ、メモリ１０３より復号された画像データと音声データを読み出して出力する。
【００２８】
また、サーチ再生の指示があった場合、制御部１０７はメカニズム１０９を制御してテープＴを８倍速で搬送する。このとき、回転ヘッド１１１はテープＴ上においてサーチ用データが記録された位置をトレースし、サーチ用画像データを再生する。記録再生処理部１１０はヘッド１１１から再生されたサーチ用画像データをメモリ１０３に書き込む。サーチ用画像処理部１０５はメモリ１０３に記憶されたサーチ用画像データを復号してメモリ１０３に書き込む。画像入出力部１０１はメモリ１０３よりサーチ用画像データを読み出して出力する。
【００２９】
次に、本実施形態におけるつなぎ撮り記録の処理を説明する。
【００３０】
図５は、磁気テープＴが新たに装着された場合、或いは、電源投入時に実行される処理を示すフローチャートである。
【００３１】
図５において、まず、現在のテープ位置を検出後、８倍速でテープを搬送してＭ倍速用画像データとＥＣＣユニットの付加情報とを再生する（Ｓ５０１）。このときのヘッド１１１によるテープＴのトレースの様子を図６に示す。
【００３２】
そして、再生された付加情報の内容を解析し（Ｓ５０２）、ＥＣＣユニットに編集ポイントが含まれているか否かを検出する（Ｓ５０３）。
【００３３】
編集ポイントが含まれていた場合、Ｍ倍速再生を停止し（Ｓ５０４）、検出された編集ポイントを含むＥＣＣユニットの先頭までテープＴを巻き戻し、ＥＣＣユニットの先頭からＭＰＥＧデータを再生する（Ｓ５０５）。そして、１ＥＣＣユニット分のデータを再生してメモリ１０３に格納したら、再生を停止する（Ｓ５０６）。そして、このＥＣＣユニットの付加情報を解析して、編集ポイントのＥＣＣユニット内のトラックナンバー、シンクブロックナンバー、ＤＴＳ、ＰＴＳ、ＶＢＶバッファ量を検出する（Ｓ５０７）。このとき、再生されたＥＣＣユニットのデータに対してはエラー訂正復号処理を施してある。
【００３４】
その後、記録開始の指示があると（Ｓ５０８）、メモリ１０３に格納したＥＣＣユニットにおける編集ポイントより、新たにＭＰＥＧデータを書き込み、エラー訂正符号化処理を施した後、記録を開始する（Ｓ５０９）。
【００３５】
また、Ｓ５０３で編集ポイントが検出されない場合、テープ端までテープＴを搬送したか否かを判別し、テープ端でない場合にはそのままＭ倍速再生を継続する（Ｓ５１０）。
【００３６】
一方、テープ端まで搬送しても編集ポイントが検出されなかった場合、Ｍ倍速再生を停止し（Ｓ５１１）、Ｍ倍速再生を開始したテープ位置までテープＴを巻き戻す（Ｓ５１２）。そして、記録開始の指示があると、テープＴの搬送を開始して、ＭＰＥＧストリームが不連続であることを示す情報をＥＣＣユニットの付加情報に格納し、次のＥＣＣユニットから新たなＭＰＥＧデータの記録を開始する（Ｓ５１４）。
【００３７】
この様に、本実施形態によれば、つなぎ撮り記録を行う場合、現在のテープ位置より８倍速再生を行ってＥＣＣユニットの付加情報を再生し、編集ポイントを検索するので、迅速に編集ポイントを検出し、つなぎ撮りを行うことが可能となる。
【００３８】
また、本形態では、１６トラックを１ＥＣＣユニットとし、サーチ用画像データとして８倍速のデータを記録することで、編集ポイントを検出する際に、同時に８倍速のサーチ画像を確認することが可能となる。
【００３９】
なお、本実施形態では、８倍速再生を行ってＥＣＣユニットの付加情報を再生し、編集ポイントを検出したが、これに限らず、４倍速再生を行って付加情報を再生するようにしてもよい。この場合のヘッドのトレースの様子を図７に示す。
【００４０】
図７に示した様に、４倍速再生時にもＥＣＣユニットの付加情報の記録位置をトレースしながら８倍速サーチ用の画像データが再生可能である。
【００４１】
また、図５のフローでは、正方向にテープを高速搬送しながら付加情報を検出する場合について説明したが、これ以外にも、例えば、現在のテープ位置から逆方向にテープを搬送しながらＥＣＣユニットの付加情報を再生する構成としてもよい。
【図面の簡単な説明】
【００４２】
【図１】本発明の実施形態のＶＴＲを示す図である。
【図２】磁気テープ上の記録パターンを示す図である。
【図３】磁気テープ上の１ＥＣＣユニットのデータを示す図である。
【図４】１トラック分のデータの様子を示す図である。
【図５】つなぎ撮り記録時の処理を示すフローチャートである。
【図６】８倍速再生におけるヘッドのトレースの様子を示す図である。
【図７】４倍速再生におけるヘッドのトレースの様子を示す図である。
【図１】
2006179055.tif 000003
【図２】
2006179055.tif 000004
【図３】
2006179055.tif 000005
【図４】
2006179055.tif 000006
【図５】
2006179055.tif 000007
【図６】
2006179055.tif 000008
【図７】
2006179055.tif 000009